(57)【要約】【課題】サーバにクライアント端末間の呼制御に関する機能を集中させ、クライアント端末にハードウエア的な機能追加を行うことなく、サーバの機能でＩＰ電話システムに通話に関するサービスを追加し得るようにする。【解決手段】サーバ１と、サーバ１に接続される複数のクライアント端末２（２−１，２−２，２−３）とから成り、サーバ１によってＨ．３２３プロトコルを用いてクライアント端末間の呼設定を制御しながらインターネットプロトコルを使用して通話を行うＩＰ電話システムにサービスを追加する際には、非通話状態のときも前記サーバおよび前記各クライアント端末間にそれぞれ呼を確立しておき、その呼を用いて、サーバ１およびクライアント端末２間で呼設定に関する情報（ＤＴＭＦ信号）の交換を行うことにより、クライアント端末２間の通話に関するサービスを追加する。【選択図】        図２
2005045491.tif 000002
【特許請求の範囲】
【請求項１】
サーバと、該サーバに接続される複数のクライアント端末とから成り、前記サーバによってＨ．３２３プロトコルを用いて前記クライアント端末間の呼設定を制御しながらインターネットプロトコルを使用して通話を行うＩＰ電話システムにおいて、サービスを追加する方式であって、
非通話状態のときも前記サーバおよび前記各クライアント端末間にそれぞれ呼を確立する工程と、
前記呼を用いて、前記サーバおよび前記クライアント端末間で呼設定に関する情報の交換を行うことにより、前記クライアント端末間の通話に関するサービスを追加する工程とから成ることを特徴とする、ＩＰ電話システムにおけるサービス追加方式。
【請求項２】
サーバと、該サーバに接続される複数のクライアント端末とから成り、前記サーバによってＨ．３２３プロトコルを用いて前記クライアント端末間の呼設定を制御しながらインターネットプロトコルを使用して通話を行うＩＰ電話システムにおいて、サービスを追加する方式であって、
前記クライアント端末における発着信操作時に前記サーバおよび発信側クライアント端末間ならびに前記サーバおよび着信側クライアント端末間にそれぞれ呼を確立する工程と、
前記呼を用いて、前記サーバおよび前記クライアント端末間で呼設定に関する情報の交換を行うことにより、前記クライアント端末間の通話に関するサービスを追加する工程とから成ることを特徴とする、ＩＰ電話システムにおけるサービス追加方式。
【請求項３】
前記サーバおよび前記クライアント端末間でＤＴＭＦ（Ｄｕａｌ  Ｔｏｎｅ  Ｍｕｌｔｉｐｌｅ  Ｆｒｅｑｕｅｎｃｙ）信号を用いて呼設定に関する情報の交換を行うことを特徴とする請求項１または２記載のＩＰ電話システムにおけるサービス追加方式。
【請求項４】
前記サーバおよび前記クライアント端末間でＨ．２４５プロトコルのノンスタンダードメッセージ（ＮｏｎＳｔａｎｄａｒｄＭｅｓｓａｇｅ）を用いて呼設定に関する情報の交換を行うことを特徴とする請求項１または２記載のＩＰ電話システムにおけるサービス追加方式。
【請求項５】
前記呼設定の完了後の通話開始時に、前記サーバおよび前記クライアント端末間にそれぞれ音声チャネルを開設し、該音声チャネルを利用して通話制御に使用する音声を前記サーバ側で制御することを特徴とする請求項１〜４の何れか１項記載のＩＰ電話システムにおけるサービス追加方式。
【請求項６】
前記サーバおよび前記クライアント端末間の音声チャネルは、音声の非送受信時には切断し、音声の送受信時に開放することを特徴とする請求項５記載のＩＰ電話システムにおけるサービス追加方式。
【請求項７】
前記クライアント端末間が非通話状態のときは、前記サーバおよび前記クライアント端末間に音声チャネルを設けずに、前記ＤＴＭＦ信号としてアウトバウンドのＤＴＭＦ信号を送受信することを特徴とする請求項３記載のＩＰ電話システムにおけるサービス追加方式。
【請求項８】
前記ＩＰ電話システムは、音声通信に加えて、画像通信を行うことを特徴とする請求項１〜７の何れか１項記載のＩＰ電話システムにおけるサービス追加方式。
【請求項９】
前記ＩＰ電話システムは、音声通信に加えて、データ通信を行うことを特徴とする請求項１〜８の何れか１項記載のＩＰ電話システムにおけるサービス追加方式。
【請求項１０】
追加するサービスに対応する機能ボタン手段を設け、該機能ボタン手段の作動により当該サービスに関する情報を送信するようにしたことを特徴とする、請求項１〜９の何れか１項記載のＩＰ電話システムにおけるサービス追加方式に用いる電話装置。
【発明の詳細な説明】
【０００１】
【発明の属する技術分野】
本発明は、サーバによってＨ．３２３プロトコルを用いてクライアント端末間の呼設定を制御しながらインターネットプロトコルを使用して通話を行うＩＰ電話システムに所望のサービスを追加する方式およびそれに用いる電話装置に関するものである。
【０００２】
【従来の技術】
現在、広く普及している電話システムは公衆電話回線に接続されるアナログ電話システムであるが、最近になって、インターネットプロトコル（Ｉｎｔｅｒｎｅｔ  Ｐｒｏｔｏｃｏｌ  ；ＩＰ）を使用して通話を行うＩＰ電話システムが普及しつつある。このような種々の電話システムによって提供されるサービスとしては、アナログ電話システムにおいては、通話等に関するサービスを提供する「基本サービス」と、オプション契約等によってユーザが希望したサービスを提供する「付加サービス」とが設定されており、ＩＰ電話システムにおいても同様に、「基本サービス」および「付加サービス」が設定されている。ＩＰ電話システムでは、アナログ電話システムでは「基本サービス」として設定されているサービスが「付加サービス」として設定されている場合が多い。したがって、既存のＩＰ電話システムに新たにサービスを追加する場合には、一般的に、「付加サービス」として追加することになる。
【０００３】
既存のＩＰ電話システムとしては、例えば、ＶｏＩＰ（Ｖｏｉｃｅ  ｏｖｅｒ  Ｉｎｔｅｒｎｅｔ  Ｐｒｏｔｏｃｏｌ）を用いるＩＰ電話システムがある。ＶｏＩＰを用いるＩＰ電話システムとしては、標準のプロトコルとしてＩＴＵ−Ｔの「Ｈ．３２３プロトコル」を用いるとともに、付加サービスを「Ｈ．４５０シリーズの勧告」に基づいて実装しているものがある。このようなＶｏＩＰを用いるＩＰ電話システムでは、例えば、図９に示すように、クライアント端末５１およびクライアント端末５２間で通話中に「保留」等のサービスを使用するためには、まず、「Ｈ．２２５．０プロトコル」によって呼設定情報を送受信し、次に、「Ｈ．２４５プロトコル」によって呼設定情報を送受信し、その後、「Ｈ．４５０プロトコル」によって付加サービスに関する呼設定情報を送受信する必要がある。したがって、上記のようなＶｏＩＰを用いるＩＰ電話システムでは、通話を行う端末の双方が「Ｈ．４５０プロトコル」を実装している場合にのみ当該付加サービスを使用することができ、何れか一方の端末が「Ｈ．４５０プロトコル」を実装していない場合には、上記端末間に「Ｈ．４５０プロトコル」に対応するサーバを設けない限り、当該付加サービスを使用することができない。
【０００４】
ＩＰ電話システムに付加サービスを追加する従来技術としては、「ＬＡＮ上の電話技術において補足サービスを提供するための装置および方法」（例えば特許文献１参照）がある。この従来技術は、異なった通信用ソフトウエアのバージョン（プロトコルで動作している通信用装置間での通信を可能にするものであり、異なったバージョンの差を通信用装置間に設けられたサーバで吸収するように構成されている。
【０００５】
【特許文献１】
特開２０００−２２８６８０号公報
【０００６】
【発明が解決しようとする課題】
上記従来技術は、例えば、通話を行う端末の一方が「Ｈ．４５０プロトコル」を実装しており、かつ、他方が「Ｈ．４５０プロトコル」を実装していない場合に、サーバに「Ｈ．４５０プロトコル」を実装することにより、上記端末間で「Ｈ．４５０プロトコル」による付加サービスを実現することができるが、通話を行う端末の一方は必ず「Ｈ．４５０プロトコル」を実装している必要があるため、「Ｈ．４５０プロトコル」を実装していない端末同士の間では、「Ｈ．４５０プロトコル」による付加サービスを実現することができない。したがって、上記従来技術は、通話を行う端末間の「Ｈ．４５０プロトコル」の実装状況の差によって、使用可能な付加サービスが制限されることになる。また、使用可能な付加サービスを増やすためには、対象とする端末の全てに、追加しようとする付加サービスに対応するプロトコルを実装するハードウエア的な機能追加を行う必要があるので、付加サービスの追加が困難になるとともに、付加サービスの追加のために多大な費用を要することになる。
【０００７】
本発明は、サーバ側にクライアント端末間の呼制御に関する機能を集中させることにより、クライアント端末にハードウエア的な機能追加を行うことなく、サーバの機能でＩＰ電話システムに通話に関するサービスを追加し得るようにしたサービス追加方式を提供することを第１の目的とする。
本発明は、上記ＩＰ電話システムにおけるサービス追加方式に使用し得る電話装置を提供することを第２の目的とする。
【０００８】
【課題を解決するための手段】
上記第１の目的を達成するため、請求項１に記載の第１発明は、サーバと、該サーバに接続される複数のクライアント端末とから成り、前記サーバによってＨ．３２３プロトコルを用いて前記クライアント端末間の呼設定を制御しながらインターネットプロトコルを使用して通話を行うＩＰ電話システムにおいて、サービスを追加する方式であって、非通話状態のときも前記サーバおよび前記各クライアント端末間にそれぞれ呼を確立する工程と、前記呼を用いて、前記サーバおよび前記クライアント端末間で呼設定に関する情報の交換を行うことにより、前記クライアント間の通話に関するサービスを追加する工程とから成ることを特徴とする。
【０００９】
第１発明においては、例えば図１のシーケンス図に示すように、クライアント端末Ａの電源ＯＮに応じて、クライアント端末Ａおよびサーバ間で、「Ｈ．２２５．０プロトコルの呼設定」、「Ｈ．２２５．０プロトコルの呼設定応答」、「Ｈ．２４５プロトコルの呼設定」、「Ｈ．２４５プロトコルの呼設定応答」が送受信され、クライアント端末Ｂの電源ＯＮに応じて、クライアント端末Ｂおよびサーバ間で、「Ｈ．２２５．０プロトコルの呼設定」、「Ｈ．２２５．０プロトコルの呼設定応答」、「Ｈ．２４５プロトコルの呼設定」、「Ｈ．２４５プロトコルの呼設定応答」が送受信されることにより、クライアント端末Ａ，Ｂの電源投入後の非通話状態のときに、サーバおよびクライアント端末Ａ間ならびにサーバおよびクライアント端末２間に呼が確立されるので、クライアント端末１およびクライアント端末Ｂ間に呼が確立される。この呼を用いて、サーバおよびクライアント端末間で呼設定に関する情報（ＤＴＭＦ信号等）の交換を行うことにより、前記クライアント端末間の通話に関するサービスを追加する。
第１発明によれば、サーバおよびクライアント端末間に常に呼を確立し、サーバ側にクライアント端末間の呼制御に関する機能を集中させるようにしたため、クライアント端末にハードウエア的な機能追加を行うことなく、サーバの機能でＩＰ電話システムに通話に関するサービスを追加し得るようにしたサービス追加方式を提供することができる。
【００１０】
上記第１の目的を達成するため、請求項２に記載の第２発明は、サーバと、該サーバに接続される複数のクライアント端末とから成り、前記サーバによってＨ．３２３プロトコルを用いて前記クライアント端末間の呼設定を制御しながらインターネットプロトコルを使用して通話を行うＩＰ電話システムにおいて、サービスを追加する方式であって、前記クライアント端末における発着信操作時に前記サーバおよび発信側クライアント端末間ならびに前記サーバおよび着信側クライアント端末間にそれぞれ呼を確立する工程と、前記呼を用いて、前記サーバおよび前記クライアント端末間で呼設定に関する情報の交換を行うことにより、前記クライアント端末間の通話に関するサービスを追加する工程とから成ることを特徴とする。
【００１１】
上記第１発明は、通話状態のときは勿論、非通話状態のときもサーバおよびクライアント端末間に呼を確立し続けるので、サーバ側の負荷が大きくなる。そこで、第２発明においては、クライアント端末における発着信操作時に、サーバおよび発信側クライアント端末間ならびにサーバおよび着信側クライアント端末間にそれぞれ呼を確立することにより、サーバ側の負荷の軽減を図るようにしている。そして、発着信操作時に確立された呼を用いて、サーバおよびクライアント端末間で呼設定に関する情報（ＤＴＭＦ信号等）の交換を行うことにより、前記クライアント端末間の通話に関するサービスを追加する。
第２発明によれば、クライアント端末における発着信操作時にのみサーバおよびクライアント端末間に呼を確立し、サーバ側にクライアント端末間の呼制御に関する機能を集中させるようにししたため、クライアント端末にハードウエア的な機能追加を行うことなく、サーバの機能でＩＰ電話システムに通話に関するサービスを追加し得るようにしたサービス追加方式を提供することができる。また、その際、サーバ側の負荷が軽減されるので、サーバが扱うことができるクライアント端末の数を増加させることができる。
【００１２】
請求項３に記載の第３発明は、前記サーバおよび前記クライアント端末間でＤＴＭＦ（Ｄｕａｌ  Ｔｏｎｅ  Ｍｕｌｔｉｐｌｅ  Ｆｒｅｑｕｅｎｃｙ）信号を用いて呼設定に関する情報の交換を行うことを特徴とする。
【００１３】
第３発明によれば、ＩＰ電話システムのクライアント端末が具備する標準的な機能であるＤＴＭＦ信号を使用することにより、広範囲のクライアント端末において「呼設定に関する情報の交換機能」を実現することができるようになる。
【００１４】
請求項４に記載の第４発明は、前記サーバおよび前記クライアント端末間でＨ．２４５プロトコルのノンスタンダードメッセージ（ＮｏｎＳｔａｎｄａｒｄＭｅｓｓａｇｅ）を用いて呼設定に関する情報の交換を行うことを特徴とする。
【００１５】
第４発明によれば、呼設定制御にＨ．３２３プロトコルを用いるＩＰ電話システムのクライアント端末においてユーザが自由に使用することができるメッセージであるノンスタンダードメッセージを使用することにより、広範囲のクライアント端末において「呼設定に関する情報の交換機能」を実現することができるようになる。
【００１６】
請求項５に記載の第５発明は、前記呼設定の完了後の通話開始時に、前記サーバおよび前記クライアント端末間にそれぞれ音声チャネルを開設し、該音声チャネルを利用して通話制御に使用する音声を前記サーバ側で送受信制御することを特徴とする。
【００１７】
第５発明によれば、前記呼設定の完了後の通話開始時には前記サーバおよび前記クライアント端末間で通話が開始されていないことに着目して、前記サーバおよび前記クライアント端末間にそれぞれ音声チャネルを開設し、その音声チャネルを使用して前記サーバが着信音等の通話制御に使用する音声を送受信制御するから、追加を希望する通話に関するサービスに対応する音声をサーバが送受信できるようになり、所望の通話に関するサービスをＩＰ電話システムに追加できるようになる。
【００１８】
請求項６に記載の第６発明は、前記サーバおよび前記クライアント端末間の音声チャネルは、音声の非送受信時には切断し、音声の送受信時に開放することを特徴とする。
【００１９】
第６発明によれば、前記サーバおよび前記クライアント端末間に開設した音声チャネルは、前記通話に関するサービスを追加するための呼設定を行うために音声を送受信するとき以外は使用しないことに着目して、音声の非送受信時には切断しておくから、サーバの負荷を軽減するとともにＩＰ電話システムの伝送路上で送受信される音声データのデータ量を削減することができる。
【００２０】
請求項７に記載の第７発明は、前記クライアント端末間が非通話状態のときは、前記サーバおよび前記クライアント端末間に音声チャネルを設けずに、前記ＤＴＭＦ信号としてアウトバウンドのＤＴＭＦ信号を送受信することを特徴とする。
【００２１】
第７発明によれば、前記サーバおよび前記クライアント端末間でＤＴＭＦ信号を用いて呼設定に関する情報の交換を行う際には、Ｈ．３２３プロトコルのＨ．２４５プロトコルによって規定されるアウトバウンド送信機能を用いて、前記サーバおよび前記クライアント端末間に音声チャネルを設けずに、前記ＤＴＭＦ信号として用いたアウトバウンドのＤＴＭＦ信号を送受信することができるので、サーバの負荷を軽減するとともにＩＰ電話システムの伝送路上で送受信される音声データのデータ量を削減することができる。
【００２２】
請求項８に記載の第８発明は、前記ＩＰ電話システムは、音声通信に加えて、画像通信を行うことを特徴とする。
【００２３】
第８発明によれば、前記ＩＰ電話システムは、アナログ電話と同様の音声通信を行うＩＰ電話システムは勿論、テレビ電話や映像配信等の画像情報の通信を扱うＩＰ電話システムの場合にも、クライアント端末にハードウエア的な機能追加を行うことなく、クライアント端末間の通話に関するサービスを追加することができる。
【００２４】
請求項９に記載の第９発明は、前記ＩＰ電話システムは、音声通信に加えて、データ通信を行うことを特徴とする。
【００２５】
第９発明によれば、前記ＩＰ電話システムは、アナログ電話と同様の音声通信を行うＩＰ電話システムは勿論、ファイル転送等のデータ通信を扱うＩＰ電話システムの場合にも、クライアント端末にハードウエア的な機能追加を行うことなく、クライアント端末間の通話に関するサービスを追加することができる。
【００２６】
上記第２の目的を達成するため、請求項１０に記載の第１０発明の電話装置は、追加するサービスに対応する機能ボタン手段を設け、該機能ボタン手段の作動により当該サービスに関する情報を送信するようにしたことを特徴とする。
【００２７】
第１０発明によれば、クライアント端末には、追加するサービスに対応する機能ボタン手段が設けられており、前記クライアント端末において機能ボタン手段を作動させることにより当該サービスに関する情報がサーバに送信されるので、第１発明〜第９発明のＩＰ電話システムにおけるサービス追加方式に使用し得る電話装置となる。また、この電話装置を用いて、ワンタッチで所望のサービスを利用できるようになるので、ユーザの利便性が向上する。
【００２８】
【発明の実施の形態】
以下、本発明の実施の形態を図面に基づき詳細に説明する。図２は本発明の第１実施形態のサービス追加方式の実施に用いるＩＰ電話システムの構成を例示する図である。本実施形態のＩＰ電話システムは、図２に示すように、サーバ１と、サーバ１に接続される複数のクライアント端末２（図示例では３個のクライアント端末２−１、２−２、２−３）とから成り、サーバ１によってＨ．３２３プロトコルを用いてクライアント端末２間の呼設定を制御しながらインターネットプロトコルを使用して通話を行うＶｏＩＰ電話システムとして構成されている。なお、上記サーバ１およびクライアント端末２−１、２−２、２−３は、同一事業所内等に設置されて互いに内線接続されていることもあるが、サーバ１と、クライアント端末２−１と、クライアント端末２−２、クライアント端末２−３とはそれぞれ別の事業所等に設置され、それらの間がインターネット３によって接続される設置形態が一般的である。
【００２９】
上記サーバ１は、Ｈ．３２３プロトコルを用いてクライアント端末２間の呼設定制御を行うＩＰ電話システム用のサーバであり、クライアント端末にハードウエア的な機能追加を行うことなく付加サービス等の通話に関するサービスをＩＰ電話システムに追加するために、「クライアント端末間の呼制御に関する機能」をサーバ１側に集中させている。なお、サーバ１は、クライアント端末２に対してＩＰによって接続可能な場所であれば、どのような場所に設置してもよい。
【００３０】
上記クライアント端末２は、「Ｈ．３２３プロトコル」を実装しているクライアント端末であって、「Ｈ．２２５．０プロトコル」および「Ｈ．２４５プロトコル」を実装しているクライアント端末であれば、どのようなクライアント端末であっても本実施形態のサービス追加方式に使用することができる。なお、上記のように「クライアント端末間の呼制御に関する機能」がサーバ１側に集中されているため、クライアント端末２は「Ｈ．４５０プロトコル」を実装している必要がなく、構成および処理を簡略化することができるとともに、既存のＩＰ電話システム用のＨ．３２３プロトコルを実装したクライアント端末を流用することができる。
【００３１】
図３は第１実施形態のＩＰ電話システムに用いるクライアント端末の前面機器配置を例示する図である。クライアント端末２の前面には、数字キー（０〜９、＊、＃）１１と、転送ボタン１２と、保留ボタン１３と、代理応答ボタン１４とが図示例のように配置されている。また、クライアント端末２には、マイク１５およびスピーカ１６が内蔵されている。上記３つの機能ボタン（転送ボタン１２、保留ボタン１３、代理応答ボタン１４）はそれぞれ、本実施形態のＩＰ電話システムに追加し得る付加サービスである「転送」、「保留」、「代理応答」の機能に対応しており、何れかの機能ボタンの押下に応じて、対応する機能に関する情報がＤＴＭＦ信号でサーバ１に送信されることになるので、ワンタッチで所望の付加サービスを利用し得るようになり、ユーザの利便性が向上する。
【００３２】
なお、本実施形態では、上記３つの機能ボタン（転送ボタン１２、保留ボタン１３、代理応答ボタン１４）をそれぞれ独立ボタンとしてハードウエア的に設けているが、代わりに、上記機能ボタン１２〜１４のぞれぞれに対し「予め設定した複数のキーまたはボタンの連続的押下操作（例えば、ファンクションキー、数字キーの１、数字キーの２を順次押下する操作）」を個別に割り当てることにより、上記独立ボタンの機能をソフトウエア的に実現するように構成してもよい。また、本実施形態では、呼設定に関する情報の交換にＤＴＭＦ信号を用いるようにしているが、代わりに、呼設定制御にＨ．３２３プロトコルを用いるＩＰ電話システムのクライアント端末においてユーザが自由に使用することができるメッセージである、Ｈ．２４５プロトコルのノンスタンダードメッセージを用いてもよい。その場合、広範囲のクライアント端末において「呼設定に関する情報の交換機能」を実現することができるようになる。
【００３３】
次に、本実施形態のＩＰ電話システムに付加サービス等のサービスを追加する場合の動作例を、図面に基づいて説明する。なお、以下の動作例では、付加サービス等のサービスを追加する際にクライアント端末２にハードウエア的な機能追加を不要にするために、サーバ１およびクライアント端末２間で送受信する情報としてＤＴＭＦ信号を用いて、サーバ１およびクライアント端末２間の情報の伝達方法を簡略化するようにしている。
【００３４】
［付加サービス「着信転送」の場合］
クライアント端末２−１からクライアント端末２−２に発信して通話を行い、その後、クライアント端末２−２からクライアント端末２−３に着信転送を行う場合、図４のシーケンス図に示すように、クライアント端末２−１の電源ＯＮに応じて、クライアント端末２−１およびサーバ１間で、「Ｈ．２２５．０プロトコルの呼設定」、「Ｈ．２２５．０プロトコルの呼設定応答」、「Ｈ．２４５プロトコルの呼設定」、「Ｈ．２４５プロトコルの呼設定応答」が送受信され、クライアント端末２−２の電源ＯＮに応じて、クライアント端末２−２およびサーバ１間で、「Ｈ．２２５．０プロトコルの呼設定」、「Ｈ．２２５．０プロトコルの呼設定応答」、「Ｈ．２４５プロトコルの呼設定」、「Ｈ．２４５プロトコルの呼設定応答」が送受信され、クライアント端末２−３の電源ＯＮに応じて、クライアント端末２−３およびサーバ１間で、「Ｈ．２２５．０プロトコルの呼設定」、「Ｈ．２２５．０プロトコルの呼設定応答」、「Ｈ．２４５プロトコルの呼設定」、「Ｈ．２４５プロトコルの呼設定応答」が送受信されることによって、クライアント端末２−１およびサーバ１間の呼制御、クライアント端末２−２およびサーバ１間の呼制御、クライアント端末２−３およびサーバ１間の呼制御がそれぞれ確立された状態になる。これにより、サーバ１およびクライアント端末２−１，２−２，２−３間には、非通話時も含めて常時呼が確立されることになる。なお、このように常時呼を確立するように構成しておくと、通常の呼設定のタイミング以前に情報の伝達を行うために通話に先立ち呼が確立されている必要がある付加サービス（例えば後述する「代理応答」）に対応可能になる。
【００３５】
上記のようにしてサーバ１を介してクライアント端末２−１、クライアント端末２−２およびクライアント端末２−３間に呼制御が確立された状態において、通話開始時には、図５のシーケンス図に示すように、クライアント端末２−１からサーバ１に、ＤＴＭＦ信号で「相手番号（クライアント端末２−２の電話番号）」が送出される。この相手番号を受けたサーバ１は、クライアント端末２−２にＤＴＭＦ信号で「着信通知」を送出して、クライアント端末２−２が通話可能になるのを待つ。この着信通知を受けたクライアント端末２−２は、通話可能になると、サーバ１に対して着信受諾の通知である「着信応答」をＤＴＭＦ信号で返送する。この着信応答を受けたサーバ１は、クライアント端末２−１にＤＴＭＦ信号で「通話開始」を通知した後、クライアント端末２−１およびクライアント端末２−２間にＨ．２４５プロトコルで音声チャネルを開設する。この音声チャネルの開設時には、クライアント端末２−１およびクライアント端末２−２から「Ｈ．２４５プロトコル応答」がサーバ１に返送される。以上により、クライアント端末２−１およびクライアント端末２−２間で通話が開始される。
【００３６】
上記通話中に、クライアント端末２−２において「クライアント端末２−３への着信転送」を行う場合、まず、クライアント端末２−２からサーバ１に、「転送である旨を示す情報および転送先の相手番号（クライアント端末２−３の電話番号）」をＤＴＭＦ信号で送出する。これら情報を受けたサーバ１は、クライアント端末２−１にＤＴＭＦ信号で「通話保留」を通知した後、クライアント端末２−３にＤＴＭＦ信号で「着信通知」を送出して、クライアント端末２−３が通話可能になるのを待つ。この着信通知を受けたクライアント端末２−３は、通話可能になるとサーバ１に対して着信受諾の通知である「着信応答」をＤＴＭＦ信号で返送する。この着信応答を受けたサーバ１は、クライアント端末２−２にＨ．２４５プロトコルで「クライアント端末２−１との音声チャネル閉」を通知し、これを受けたクライアント端末２−２から「Ｈ．２４５プロトコル応答」が返送されると、クライアント端末２−２にＨ．２４５プロトコルで「クライアント端末２−３との音声チャネル開設」を通知する。これを受けたクライアント端末２−２から「Ｈ．２４５プロトコル応答」が返送されると、サーバ１は、クライアント端末２−３にＨ．２４５プロトコルで「クライアント端末２−２との音声チャネル開設」を通知する。これを受けたクライアント端末２−３からサーバ１に「Ｈ．２４５プロトコル応答」が返送されると、クライアント端末２−２およびクライアント端末２−３間で通話が開始される。
【００３７】
この通話中に、「クライアント端末２−１からの着信を転送する旨」をクライアント端末２−２からクライアント端末２−３に伝えて通話が終了したとき、クライアント端末２−１およびクライアント端末２−３間で通話を開始するために、クライアント端末２−２からサーバ１に「通話終了」がＤＴＭＦ信号で送出される。これを受けたサーバ１は、クライアント端末２−１にＤＴＭＦ信号で「保留解除」を通知した後、クライアント端末２−１およびクライアント端末２−３のそれぞれにＨ．２４５プロトコルで「クライアント端末２−２との音声チャネル閉」を通知する。これを受けたクライアント端末２−１およびクライアント端末２−３のそれぞれからサーバ１に「Ｈ．２４５プロトコル応答」が返送されると、サーバ１は、クライアント端末２−１およびクライアント端末２−３間にＨ．２４５プロトコルで音声チャネルを開設する。これを受けたクライアント端末２−１およびクライアント端末２−３からサーバ１に「Ｈ．２４５プロトコル応答」が返送されると、クライアント端末２−１およびクライアント端末２−３間で通話が開始される。
【００３８】
［付加サービス「代理応答」の場合］
クライアント端末２−１からクライアント端末２−２に発信したときに、クライアント端末２−３が代理応答する場合、上記「着信転送」の場合と同様に、図４のシーケンス図に示すようにして、クライアント端末２−１およびサーバ１間の呼制御、クライアント端末２−２およびサーバ１間の呼制御、クライアント端末２−３およびサーバ１間の呼制御がそれぞれ確立された状態になる。
【００３９】
上記のようにしてサーバ１を介してクライアント端末２−１、クライアント端末２−２およびクライアント端末２−３間に呼制御が確立された状態において、クライアント端末２−１における発信操作に伴い、図６のシーケンス図に示すように、クライアント端末２−１からサーバ１に、ＤＴＭＦ信号で「相手番号（クライアント端末２−２の電話番号）」が送出される。この相手番号を受けたサーバ１は、クライアント端末２−２にＤＴＭＦ信号で「着信通知」を送出して、クライアント端末２−２が通話可能になるのを待つ。このとき、代理応答を行うために、クライアント端末２−３からサーバ１に、ＤＴＭＦ信号で「代理応答」の通知を送出する。これを受けたサーバ１は、クライアント端末２−２にＤＴＭＦ信号で「着信破棄通知（着信キャンセル）」を送出する。その後、サーバ１は、クライアント端末２−１にＤＴＭＦ信号で「通話開始」を通知した後、クライアント端末２−１およびクライアント端末２−３間にＨ．２４５プロトコルで音声チャネルを開設する。この音声チャネルの開設時には、クライアント端末２−１およびクライアント端末２−３のそれぞれから「Ｈ．２４５プロトコル応答」がサーバ１に返送される。以上により、クライアント端末２−１およびクライアント端末２−３間で通話が開始される。
【００４０】
本実施形態のサービス追加方式によれば、サーバ１およびクライアント端末２（２−１〜２−３）間に常に呼を確立し、サーバ１側にクライアント端末間の呼制御に関する機能を集中させるようにしたため、クライアント端末２にハードウエア的な機能追加を行うことなく、サーバ１の機能でＩＰ電話システムに付加サービス等の通話に関するサービスを追加し得るようになる。
また、本実施形態のサービス追加方式によれば、ＩＰ電話システムのクライアント端末が具備する標準的な機能であるＤＴＭＦ信号を使用するように構成したため、広範囲のクライアント端末において「呼設定に関する情報の交換機能」を実現することができるようになる。
【００４１】
また、本実施形態のサービス追加方式によれば、呼設定の完了後の通話開始時に、サーバ１およびクライアント端末２間にそれぞれ音声チャネルを開設し、その音声チャネルを使用してサーバ１が着信音や保留音やクライアント端末２からのＤＴＭＦ信号等の通話制御に使用する音声を送受信制御するから、追加を希望する通話に関するサービスに対応する音声をサーバ１が送受信できるようになり、所望の付加サービス等の通話に関するサービスをＩＰ電話システムに追加できるようになる。
また、本実施形態のサービス追加方式によれば、サーバ１およびクライアント端末２間に開設した音声チャネルは、付加サービス等を追加するための呼設定を行うために音声を送受信するときだけ開設し、それ以外のとき（音声の非送受信時）は切断しておくから、サーバ１の負荷を軽減するとともにＩＰ電話システムの伝送路上で送受信される音声データのデータ量を削減することができる。
【００４２】
なお、上記第１実施形態では、付加サービス「着信転送」および「代理応答」の動作例において、クライアント端末２の電源ＯＮを契機にして当該クライアント端末２およびサーバ１間に呼を確立することにより、常時全てのクライアント端末２およびサーバ１間に呼を確立するようにしたが、代わりに、クライアント端末２における発着信操作時にサーバ１および発信側クライアント端末２間ならびにサーバ１および着信側クライアント端末２間にそれぞれ呼を確立するようにしてもよい。その場合、例えば、発信側クライアント端末２は、受話器のオフフックを契機にしてサーバ１との間に呼を確立し、着信側クライアント端末２は、通常着信時には着信通知の受信時にサーバ１との間に呼を確立し、代理応答時には受話器のオフフックを契機にしてサーバ１との間に呼を確立するようにすればよい。そのようにした場合、クライアント端末２における発着信操作時にのみサーバ１およびクライアント端末２間に呼を確立するようにしてサーバ側の負荷の軽減を図ることができるため、サーバ１が扱い得るクライアント端末２の数を増加させることができる。
【００４３】
また、上記第１実施形態では、図７（ｂ）に概略的に示すように呼設定の確立後に音声チャネルを開設して、その音声チャネルを使用してサーバ１およびクライアント端末２間で付加サービス等のための呼設定に関する情報であるＤＴＭＦ信号の交換を行うようにしているが、代わりに、ＤＴＭＦ信号としてアウトバウンドのＤＴＭＦ信号（音声データとは独立してＤＴＭＦ信号を送受信するもの）を用いてそのアウトバウンドのＤＴＭＦ信号をクライアント端末２間が非通話状態のときに交換することにより、通話等の音声データとは独立してＤＴＭＦ信号を通知するようにしてもよい。その場合、Ｈ．３２３プロトコルのＨ．２４５プロトコルによって規定されるアウトバウンド送信機能を用いて、図７（ａ）に概略的に示すようにサーバ１およびクライアント端末２間に音声チャネルを設けずに、アウトバウンドのＤＴＭＦ信号を送受信し得るので、サーバ１の負荷を軽減するとともにＩＰ電話システムの伝送路上で送受信される音声データのデータ量を削減することができる。
【００４４】
図８は本発明の第２実施形態のサービス追加方式の実施に用いるＩＰ電話システムの構成を例示する図である。本実施形態のＩＰ電話システムでは、図８に示すようなクライアント端末２を用いるようにしている。本実施形態のクライアント端末２は、上記第１実施形態のクライアント端末２に対し、通常のディスプレイを比較的大型のディスプレイ１８に変更するとともにカメラ１７を追加したものである。なお、図８では、３つの機能ボタン（転送ボタン１２、保留ボタン１３、代理応答ボタン１４）の記載を省略している。本実施形態のクライアント端末２が発信側クライアント端末および着信側クライアント端末となった通話である場合、音声通信に加えて、画像通信を行うことが可能である。
【００４５】
本実施形態のサービス追加方式によれば、アナログ電話と同様の音声通信を行うＩＰ電話システムは勿論、テレビ電話や映像配信等の画像情報の通信を扱うＩＰ電話システムの場合にも、クライアント端末にハードウエア的な機能追加を行うことなく、クライアント端末間の通話に関するサービスを追加することができようになる。
【００４６】
なお、本実施形態のクライアント端末２は、比較的大型のディスプレイ１８を搭載しているため、例えば所定のデータ通信用制御プログラムをサーバ１に追加することにより、本実施形態のクライアント端末２が発信側クライアント端末および着信側クライアント端末となった通話である場合、音声通信および画像通信に加えて、実用的にデータ通信を行うことができる。その場合、クライアント端末間のファイル転送等のデータ通信を扱うＩＰ電話システムの場合にも、クライアント端末にハードウエア的な機能追加を行うことなく、クライアント端末間の通話に関するサービスを追加することができるようになる。
【図面の簡単な説明】
【図１】本発明のＩＰ電話システムにおけるサービス追加方式を原理的に示すシーケンス図である。
【図２】本発明の第１実施形態のサービス追加方式の実施に用いるＩＰ電話システムの構成を例示する図である。
【図３】第１実施形態のＩＰ電話システムに用いるクライアント端末の前面機器配置を例示する図である。
【図４】第１実施形態において付加サービスを追加する際のサーバおよびクライアント端末間の呼の確立の動作例を示すシーケンス図である。
【図５】第１実施形態において付加サービスとして着信転送を追加する場合のの動作例を示すシーケンス図である。
【図６】第１実施形態において付加サービスとして代理応答を追加する場合のの動作例を示すシーケンス図である。
【図７】（ａ），（ｂ）は第１実施形態のサービス追加方式の変形例を概略的に説明するためのシーケンス図である。
【図８】本発明の第２実施形態のサービス追加方式の実施に用いるＩＰ電話システムの構成を例示する図である。
【図９】従来のＩＰ電話システムにおける付加サービスを説明するための図である。
【符号の説明】
１  サーバ
２、２−１、２−２、２−３  クライアント端末
３  インターネット
１１  数字キー
１２  転送ボタン
１３  保留ボタン
１４  代理応答ボタン
１５  マイク
１６  スピーカ
１７  カメラ
１８  ディスプレイ
【図１】
2005045491.tif 000003
【図２】
2005045491.tif 000004
【図３】
2005045491.tif 000005
【図４】
2005045491.tif 000006
【図５】
2005045491.tif 000007
【図６】
2005045491.tif 000008
【図７】
2005045491.tif 000009
【図８】
2005045491.tif 000010
【図９】
2005045491.tif 000011